(57)【要約】【課題】無線機の修理時間を短くし、修理の設備負担及び作業負担を低減することである。【解決手段】無線機１は、電子回路を有し、取り外して交換が可能な制御ユニット１０、送信回路ユニット２０、送信パワーアンプユニット３０、受信回路ユニット４０、信号処理ユニット５０、操作表示ユニット６０を備え、各ユニットは、自ユニットの電子回路の制御用の調整・設定データを記憶するＥＥＰＲＯＭ１２，２２，３２，４２，５２，６２と、ＥＥＰＲＯＭ１２，２２，３２，４２，５２，６２に記憶された調整・設定データに従って、自ユニットの電子回路の制御を行うＣＰＵ１１，２１，３１，４１，５１，６１と、を備える。【選択図】図１
2010035075.tif 000002
【特許請求の範囲】
【請求項１】
電子回路を有し、取り外して交換が可能な複数のユニットを備え、
前記各ユニットは、
自ユニットの電子回路の制御用の調整・設定データを記憶する不揮発記憶部と、
前記不揮発記憶部に記憶された調整・設定データに従って、自ユニットの電子回路の制御を行う制御部と、を備える無線機。
【請求項２】
前記複数のユニットは、各ユニットの制御を行う制御ユニットを含み、
前記制御ユニットの制御部は、自ユニットの前記不揮発記憶部に記憶された調整・設定データに従って、自ユニットの電子回路の制御を行うとともに、前記制御ユニット以外のユニットの制御を行う第１の制御部であり、
前記制御ユニット以外のユニットの制御部は、前記第１の制御部による制御と自ユニットの前記不揮発記憶部に記憶された調整・設定データとに従って、自ユニットの電子回路の制御を行う第２の制御部である請求項１に記載の無線機。
【請求項３】
前記制御ユニット以外のユニットは、無線送信する信号の変調を行う送信回路ユニットと、当該送信回路ユニットにより変調された信号を増幅する送信パワーアンプユニットと、無線受信された信号を復調する受信回路ユニットと、前記無線送信する信号及び前記復調された信号に信号処理を施す信号処理ユニットと、操作情報の入力を受け付け表示情報を表示する操作表示ユニットと、を含む請求項２に記載の無線機。
【発明の詳細な説明】
【技術分野】
【０００１】
本発明は、無線機に関する。
【背景技術】
【０００２】
従来、オーディオ信号の無線通信を行う電子機器として、無線通信端末（ハンディ機、車載機）、無線通信端末同士の無線通信を中継する中継器（固定無線局）等の無線機が知られている。
【０００３】
ここで、従来の中継器としての無線機３を説明する。図４に、無線機３の構成を示す。図４に示すように、従来の無線機３は、制御ブロック１１０と、送信回路ブロック１２０と、送信パワーアンプブロック１３０と、受信回路ブロック１４０と、信号処理ブロック１５０と、操作表示ブロック１６０と、を備える。無線機３において、各ブロックは、少数（１、２枚）のプリント基板上に集約して構成され、互いに切り離しできない。各ブロックは、電子ボリューム等の制御される電子回路を含む。
【０００４】
制御ブロック１１０は、無線機３の各ブロックの電子回路の制御を行う。制御ブロック１１０は、ＣＰＵ（Central Processing Unit）１１１と、ＥＥＰＲＯＭ（Electrically Erasable Programmable Read Only Memory）１１２と、を備える。また、制御ブロック１１０は、ＣＰＵ１１１に制御される電子回路を有する。ＣＰＵ１１１は、ＲＯＭ（図示略）から読み出されてＲＡＭ（図示略）に展開されたプログラムとの協働で各種処理を実行する。ＥＥＰＲＯＭ１１２は、電気的にデータを書き込み／消去可能な不揮発メモリである。ＥＥＰＲＯＭ１１２は、各ブロックの電子回路の制御用の調整・設定データが書き込まれている。ＣＰＵ１１１は、ＥＥＰＲＯＭ１１２から調整・設定データを読み出し、当該調整・設定データに従って、制御ブロック１１０、送信回路ブロック１２０、送信パワーアンプブロック１３０、受信回路ブロック１４０、信号処理ブロック１５０及び操作表示ブロック１６０内の電子回路の制御を行う。
【０００５】
工場における無線機３の製造後、無線機３の調整・設定データがＥＥＰＲＯＭ１１２に書き込まれた状態で工場から出荷される。調整・設定データとは、電子回路の多種の仕様を規定値内で動作させるための仕様データ（例えば、規定の信号レベルを示すデータ）や、電子回路の個々のバラツキを補正するための補正データである。つまり、工場出荷後に、制御ブロック１１０、送信回路ブロック１２０、送信パワーアンプブロック１３０、受信回路ブロック１４０、信号処理ブロック１５０及び操作表示ブロック１６０の調整・設定データが、全てＥＥＰＲＯＭ１１２に記憶されている。
【０００６】
送信回路ブロック１２０は、ＣＰＵ１１１に制御される電子回路として、例えば一定の変調率となるように入力信号を制御する電子ボリュームを含む。送信回路ブロック１２０は、ＣＰＵ１１１の制御により、信号処理ブロック１５０から入力される送信用のオーディオ信号を変調し、その変調信号を送信パワーアンプブロック１３０へ出力する。
【０００７】
送信パワーアンプブロック１３０は、ＣＰＵ１１１に制御される電子回路として、例えば一定の送信電力となるように制御する電子回路を有する。送信パワーアンプブロック１３０は、ＣＰＵ１１１の制御により、送信回路ブロック１２０から入力された送信信号を増幅して送信アンテナ（図示略）に出力する。
【０００８】
受信回路ブロック１４０は、ＣＰＵ１１１に制御される電子回路として、例えば帯域幅が異なる形式の復調信号が同じ音量になるように制御する電子ボリュームを有する。受信回路ブロック１４０は、ＣＰＵ１１１の制御により、受信アンテナ（図示略）から入力される受信信号（ＲＦ（Radio Frequency）信号）を復調して信号処理ブロック１５０に出力する。
【０００９】
信号処理ブロック１５０は、ＣＰＵ１１１に制御される電子回路として、異なる形式の信号を電子的に信号処理するＤＳＰ（Digital Signal Processor）１５１、ＡＤ（Analog to Digital）／ＤＡ（Digital to Analog）コンバータ、アンプ等を有する。信号処理ブロック１５０は、ＣＰＵ１１１の制御により、ＤＳＰ１５１が、受信回路ブロック１４０から入力される信号に信号処理等を施して送信回路ブロック１２０へ出力する。
【００１０】
操作表示ブロック１６０は、ＣＰＵ１１１に制御される電子回路として、表示部１６１、操作部１６２を有する。操作表示ブロック１６０は、操作部１６２を介して入力された操作情報をＣＰＵ１１１に出力し、ＣＰＵ１１１から入力された表示信号に従い表示部１６１に各種表示を行う。操作表示ブロック１６０は、無線機に関する各種操作入力を受け付け、無線通信に関する各種表示情報を表示する。
【００１１】
工場出荷された無線機３において、故障が発生すると、故障部品を修理するとともに、その部品（ブロック）の調整・設定データを再度ＥＥＰＲＯＭ１１２に書き込む必要がある。
【００１２】
無線機３の修理の一例を説明する。図５に、信号処理ブロック１５０の調整を示す。図５に示すように、信号処理ブロック１５０は、ＤＳＰ１５１、ＡＤ／ＤＡコンバータ１５２、アンプ１５３、出力端子１５４を備える。
【００１３】
一例として、信号処理ブロック１５０が故障した場合を考える。サービスマンが、故障した無線機３をサービスセンターに持ち帰り、そのサービスセンターにて無線機３の修理が行われる。先ず、信号処理ブロック１５０が修理され、次いで、受信信号が復調されたオーディオ信号が、外部出力端子に製品仕様の電圧として出力されるように調整が行われる。
【００１４】
調整としては、先ず、受信アンテナ１９０にＲＦ信号発生器１７０が接続され、また、修理後の信号処理ブロック１５０の出力端子１５４に歪率計又はＡＦ信号レベル計（オーディオアナライザー）１８０が接続される。
【００１５】
受信アンテナ１９０が所定のＲＦ信号を受信したときに受信回路ブロック１４０から出力されるオーディオ信号の信号レベルをレベルＡとする。また、受信回路ブロック１４０からレベルＡのオーディオ信号が出力されて信号処理ブロック１５０に入力された場合に、出力端子１５４から出力される製品仕様の電圧信号の信号レベルをレベルＢとする。
【００１６】
そして、受信回路ブロック１４０の出力オーディオ信号の信号レベルがレベルＡとなるようなＲＦ信号がＲＦ信号発生器１７０により発生され、受信回路ブロック１４０からレベルＡのオーディオ信号Ｓ２１が出力されて信号処理ブロック１５０に入力される。そして、制御ブロック１１０の制御により、オーディオ信号Ｓ２１は、ＤＳＰ１５１により信号処理が施され、ＡＤ／ＤＡコンバータ１５２により出力調整され、アンプ１５３により増幅されて出力端子１５４からオーディオ信号の電圧信号Ｓ２２として出力される。電圧信号Ｓ２２は、歪率計又はＡＦ信号レベル計１８０により測定される。この状態で、ＡＤ／ＤＡコンバータ１５２の出力調整（電子ボリューム調整）により、歪率計又はＡＦ信号レベル計１８０により測定される電圧信号Ｓ２２の信号レベルがレベルＢに調整される。このＡＤ／ＤＡコンバータ１５２の出力の調整値は、制御ブロック１１０（ＣＰＵ１１１）により、調整・設定データとしてＥＥＰＲＯＭ１１２に書き込まれる。このようにして、信号処理ブロック１５０の調整・設定データをＥＥＰＲＯＭ１１２に書き込むことで、調整が完了する。
【００１７】
また、同じ工場調整データが記憶された不揮発メモリを主、副の２つ備え、主の不揮発メモリに記憶されている工場調整データが読み出せないような故障が発生した場合に、副の不揮発メモリに記憶されている工場調整データを読み出して主の不揮発メモリにコピー可能な構成の電子機器が考えられている（例えば、特許文献１参照）。
【特許文献１】特開平１０−２７６３７６号公報
【発明の開示】
【発明が解決しようとする課題】
【００１８】
しかし、従来の無線機３において、故障が発生すると、サービスマンによる調整作業（調整・設定データの取得及び書き込み）が必要となり、故障発生から修理完了までの時間が長かった。さらに、無線機３が業務用等である場合に、故障発生時にユーザへ無線機の代替機の貸し出しがなされる状況もあり、この場合には無線機の入れ替え作業も行われる。このため、故障発生から修理完了までの時間がさらに長くなっていた。無線機が、無線通信端末である場合も同様であった。
【００１９】
また、無線機３のように中継器である場合、無線通信端末である無線機より形状寸法の制約が少ないため、各機能ブロックをそれぞれ異なるプリント基板に設けたユニットとして構成することも考えられる。各ユニットが交換可能であれば、故障が発生した場合に、故障したユニットを新しいユニットに交換すればよい。しかし、各ユニットの調整・設定データは、制御ユニットの不揮発メモリに集約して記憶されるため、無線機３と同様に、故障ユニット交換後にその調整作業が必要であった。このように、１件の修理を完了するまでに莫大な時間を必要としていた。
【００２０】
特に、無線機は、常時緊急に対応が要求される警察、消防等の業務で使われることも多い。このため、故障発生から修理完了までの時間が長いと、故障発生時の業務遂行に支障がでるおそれがあった。
【００２１】
また、無線機の調整項目は、その無線機の基本性能の数に比例して数多くあり、調整項目が増えると、必要な測定器等の設備も増やさねばならない。このため、修理のたびに調整が必要な構成では、修理のサービス体制の設備負担が大きかった。
【００２２】
また、特許文献１に記載の電子機器の構成では、修理時に、調整・設定データのコピー作業が必要であるとともに、無線機３と同様に、修理した部品の調整作業が必要であり、作業負担が大きかった。
【００２３】
本発明の課題は、無線機の修理時間を短くし、修理の設備負担及び作業負担を低減することである。
【課題を解決するための手段】
【００２４】
上記課題を解決するため、本発明の無線機は、
電子回路を有し、取り外して交換が可能な複数のユニットを備え、
前記各ユニットは、
自ユニットの電子回路の制御用の調整・設定データを記憶する不揮発記憶部と、
前記不揮発記憶部に記憶された調整・設定データに従って、自ユニットの電子回路の制御を行う制御部と、を備える。
【００２５】
好ましくは、前記複数のユニットは、各ユニットの制御を行う制御ユニットを含み、
前記制御ユニットの制御部は、自ユニットの前記不揮発記憶部に記憶された調整・設定データに従って、自ユニットの電子回路の制御を行うとともに、前記制御ユニット以外のユニットの制御を行う第１の制御部であり、
前記制御ユニット以外のユニットの制御部は、前記第１の制御部による制御と自ユニットの前記不揮発記憶部に記憶された調整・設定データとに従って、自ユニットの電子回路の制御を行う第２の制御部である。
【００２６】
また、好ましくは、前記制御ユニット以外のユニットは、無線送信する信号の変調を行う送信回路ユニットと、当該送信回路ユニットにより変調された信号を増幅する送信パワーアンプユニットと、無線受信された信号を復調する受信回路ユニットと、前記無線送信する信号及び前記復調された信号に信号処理を施す信号処理ユニットと、操作情報の入力を受け付け表示情報を表示する操作表示ユニットと、を含む。
【発明の効果】
【００２７】
本発明によれば、無線機の修理時間を短くでき、修理の設備負担及び作業負担を低減できる。
【発明を実施するための最良の形態】
【００２８】
以下、添付図面を参照して本発明に係る実施の形態を詳細に説明する。ただし、発明の範囲は、図示例に限定されない。
【００２９】
先ず、図１を参照して、本実施の形態の無線機１の装置構成を説明する。図１に、本実施の形態の無線機１の構成を示す。本実施の形態では、無線機１が、無線通信端末同士の無線通信を中継する中継器であるものとして説明する。
【００３０】
図１に示すように、無線機１は、制御ユニット１０と、送信回路ユニット２０と、送信パワーアンプユニット３０と、受信回路ユニット４０と、信号処理ユニット５０と、操作表示ユニット６０と、を備える。無線機１の各ユニットは、それぞれ別のプリント基板上に設けられ、取り外しての交換が可能である。各ユニットには、従来の無線機３の各ブロックに含まれる電子ボリューム等の制御される電子回路を含む。
【００３１】
制御ユニット１０は、無線機１の各ユニットの制御を行う。制御ユニット１０は、第１の制御部としてのＣＰＵ１１、不揮発記憶部としてのＥＥＰＲＯＭ１２、を備える。また、制御ユニット１０は、ＣＰＵ１１により制御される電子回路を有する。ＣＰＵ１１は、ＲＯＭ（図示略）に記憶されたプログラムをＲＡＭ（図示略）に展開し、ＲＡＭに展開されたプログラムとの協働で各種処理を実行する。
【００３２】
また、ＣＰＵ１１は、無線機１の各ユニットの制御を行うマスタのＣＰＵである。つまり、ＣＰＵ１１は、無線機１の各ユニットのスレーブのＣＰＵを制御する。また、ＣＰＵ１１は、制御ユニット１０内の電子回路を制御する。ＥＥＰＲＯＭ１２は、電気的にデータを書き込み／消去可能な不揮発メモリである。ＥＥＰＲＯＭ１２は、制御ユニット１０の電子回路の制御用の調整・設定データが書き込まれている。ＣＰＵ１１は、ＥＥＰＲＯＭ１２から調整・設定データを読み出し、当該調整・設定データに従って、制御ユニット１０内の電子回路の制御を行う。
【００３３】
送信回路ユニット２０は、第２の制御部としてのＣＰＵ２１、不揮発記憶部としてのＥＥＰＲＯＭ２２、を備える。また、送信回路ユニット２０は、ＣＰＵ２１に制御される電子回路として、例えば一定の変調率となるように入力信号を制御する電子ボリュームを有する。
【００３４】
ＣＰＵ２１は、ＲＯＭ（図示略）に記憶されたプログラムをＲＡＭ（図示略）に展開し、ＲＡＭに展開されたプログラムとの協働で各種処理を実行する。また、ＣＰＵ２１は、マスタのＣＰＵ１１の制御により、送信回路ユニット２０内の電子回路の制御を行うスレーブのＣＰＵである。ＥＥＰＲＯＭ２２は、送信回路ユニット２０の電子回路の制御用の調整・設定データが書き込まれている。
【００３５】
ＣＰＵ２１は、ＥＥＰＲＯＭ２２から調整・設定データを読み出し、当該調整・設定データに従って、送信回路ユニット２０内の電子回路の制御を行う。送信回路ユニット２０において、ＣＰＵ２１による電子回路の制御により、信号処理ユニット５０から入力される送信用のオーディオ信号が変調され、その変調信号が送信パワーアンプユニット３０へ出力される。
【００３６】
送信パワーアンプユニット３０は、第２の制御部としてのＣＰＵ３１、不揮発記憶部としてのＥＥＰＲＯＭ３２、を備え、また送信アンテナ（図示略）に接続される。また、送信パワーアンプユニット３０は、ＣＰＵ３１に制御される電子回路として、例えば一定の送信電力となるように制御する電子回路を有する。
【００３７】
ＣＰＵ３１は、ＲＯＭ（図示略）に記憶されたプログラムをＲＡＭ（図示略）に展開し、ＲＡＭに展開されたプログラムとの協働で各種処理を実行する。また、ＣＰＵ３１は、マスタのＣＰＵ１１の制御により、送信パワーアンプユニット３０内の電子回路の制御を行うスレーブのＣＰＵである。ＥＥＰＲＯＭ３２は、送信パワーアンプユニット３０の電子回路の制御用の調整・設定データが書き込まれている。
【００３８】
ＣＰＵ３１は、ＥＥＰＲＯＭ３２から調整・設定データを読み出し、当該調整・設定データに従って、送信パワーアンプユニット３０内の電子回路の制御を行う。送信パワーアンプユニット３０において、ＣＰＵ３１による電子回路の制御により、送信回路ユニット２０から入力された送信信号が増幅されて送信アンテナに出力される。
【００３９】
受信回路ユニット４０は、第２の制御部としてのＣＰＵ４１、不揮発記憶部としてのＥＥＰＲＯＭ４２、を備え、また受信アンテナ（図示略）に接続される。受信回路ユニット４０は、ＣＰＵ４１に制御される電子回路として、例えば帯域幅が異なる形式の復調信号が同じ音量になるように制御する電子ボリュームを有する。
【００４０】
ＣＰＵ４１は、ＲＯＭ（図示略）に記憶されたプログラムをＲＡＭ（図示略）に展開し、ＲＡＭに展開されたプログラムとの協働で各種処理を実行する。また、ＣＰＵ４１は、マスタのＣＰＵ１１の制御により、受信回路ユニット４０内の電子回路の制御を行うスレーブのＣＰＵである。ＥＥＰＲＯＭ４２は、受信回路ユニット４０の電子回路の制御用の調整・設定データが書き込まれている。
【００４１】
ＣＰＵ４１は、ＥＥＰＲＯＭ４２から調整・設定データを読み出し、当該調整・設定データに従って、受信回路ユニット４０内の電子回路の制御を行う。受信回路ユニット４０において、ＣＰＵ４１による電子回路の制御により、受信アンテナから入力される受信信号（ＲＦ信号）が復調されて信号処理ユニット５０に出力される。
【００４２】
信号処理ユニット５０は、第２の制御部としてのＣＰＵ５１、不揮発記憶部としてのＥＥＰＲＯＭ５２、を備える。また、信号処理ユニット５０は、ＣＰＵ５１に制御される電子回路として、ＤＳＰ５３、ＡＤ／ＤＡコンバータ、アンプ等を含む。
【００４３】
ＣＰＵ５１は、ＲＯＭ（図示略）に記憶されたプログラムをＲＡＭ（図示略）に展開し、ＲＡＭに展開されたプログラムとの協働で各種処理を実行する。また、ＣＰＵ５１は、マスタのＣＰＵ１１の制御により、信号処理ユニット５０内の電子回路の制御を行うスレーブのＣＰＵである。ＥＥＰＲＯＭ５２は、信号処理ユニット５０の電子回路の制御用の調整・設定データが書き込まれている。ＤＳＰ５３は、異なる形式の信号を電子的に信号処理する。
【００４４】
ＣＰＵ５１は、ＥＥＰＲＯＭ５２から調整・設定データを読み出し、当該調整・設定データに従って、信号処理ユニット５０内の電子回路の制御を行う。信号処理ユニット５０において、ＣＰＵ５１による制御により、ＤＳＰ１５１が、受信回路ユニット４０から入力される信号に信号処理等を施して送信回路ユニット２０へ出力する。また、ＤＳＰ１５１が、送信回路ユニット２０から入力される信号に信号処理等を施して受信回路ユニット４０へ出力する。
【００４５】
操作表示ユニット６０は、第２の制御部としてのＣＰＵ６１、不揮発記憶部としてのＥＥＰＲＯＭ６２を備える。また、操作表示ユニット６０は、ＣＰＵ６１に制御される電子回路として、表示部６３、操作部６４を含む。
【００４６】
ＣＰＵ６１は、ＲＯＭ（図示略）に記憶されたプログラムをＲＡＭ（図示略）に展開し、ＲＡＭに展開されたプログラムとの協働で各種処理を実行する。また、ＣＰＵ６１は、マスタ側のＣＰＵ１１の制御により、操作表示ユニット６０内の電子回路の制御を行うスレーブ側のＣＰＵである。ＥＥＰＲＯＭ６２は、操作表示ユニット６０の電子回路の制御用の調整・設定データが書き込まれている。表示部６３は、ＬＣＤ（Liquid Crystal Display）、ＬＥＤ（Light Emitting Diode）等を有し、各種表示情報を表示する。操作部６４は、例えば、キーマトリクスを有するキーパネル等を有し、ユーザからの操作情報の入力を受け付ける。
【００４７】
ＣＰＵ６１は、ＥＥＰＲＯＭ６２から調整・設定データを読み出し、当該調整・設定データに従って、操作表示ユニット６０内の電子回路の制御を行う。操作表示ユニット６０において、ＣＰＵ６１による制御により、操作部６４を介して入力された操作情報が制御ユニット１０に出力され、制御ユニット１０から入力された表示信号に従い表示部６３に各種表示情報が表示される。
【００４８】
なお、無線機１は、デジタル設定及びアナログ設定の切換えが可能な無線機である。ここで、デジタル設定、アナログ設定それぞれでの無線機１の無線通信動作を説明する。
【００４９】
無線機１がデジタル設定にされている場合に、送信側の無線通信端末から送信されたデジタル変調信号の無線電波が受信アンテナにより受信されて受信回路ユニット４０に出力される。そして、そのデジタル変調信号が受信回路ユニット４０によりデジタル復調、出力調整（電子ボリューム調整）されて信号処理ユニット５０に出力される。そして、信号処理ユニット５０において、そのデジタルの復調信号がＤＳＰ５３により信号処理され、信号処理後のデジタルの復調信号がＡＤ／ＤＡコンバータにより出力調整され、アンプにより増幅されて送信回路ユニット２０に出力される。そして、送信回路ユニット２０に入力されるデジタル信号がデジタル変調され、そのデジタル変調信号が送信パワーアンプユニット３０に出力される。そのデジタル変調信号は、送信パワーアンプユニット３０により増幅されて送信アンテナに出力される。そして、送信アンテナによりデジタル変調信号が無線電波として受信側の無線通信端末に送信される。
【００５０】
無線機１がアナログ設定にされている場合に、送信側の無線通信端末から送信されたアナログ変調信号の無線電波が受信アンテナにより受信されて受信回路ユニット４０に入力される。そして、そのアナログ変調信号が受信回路ユニット４０によりアナログ復調、出力調整されて信号処理ユニット５０に出力される。そして、信号処理ユニット５０において、そのアナログの復調信号がＤＳＰ５３により信号処理され、信号処理後のアナログの復調信号がＡＤ／ＤＡコンバータにより出力調整され、アンプにより増幅されて送信回路ユニット２０に出力される。そして、送信回路ユニット２０に入力されるアナログ信号がアナログ変調され、そのアナログ変調信号が送信パワーアンプユニット３０に出力される。そのアナログ変調信号は、送信パワーアンプユニット３０により増幅されて送信アンテナに出力される。そして、送信アンテナによりアナログ変調信号が無線電波として受信側の無線通信端末に送信される。
【００５１】
また、工場における無線機１の製造後、制御ユニット１０、送信回路ユニット２０、送信パワーアンプユニット３０、受信回路ユニット４０、信号処理ユニット５０、操作表示ユニット６０の調整・設定データが、それぞれ、ＥＥＰＲＯＭ１２，２２，３２，４２，５２，６２に書き込まれた状態で工場から出荷される。特に、無線機１の調整・設定データは、無線通信に関する法律を遵守する範囲内で無線通信が行われるような調整・設定データを含む。
【００５２】
次に、図２及び図３を参照して、無線機１におけるユニット調整を説明する。図２に、信号処理ユニット５０の調整を示す。
【００５３】
無線機１の製造において、各ユニットが組み立てられた後、当該各ユニット単体で調整が行われる。一例として、信号処理ユニット５０の製造時の調整を説明する。図２に示すように、信号処理ユニット５０は、ＣＰＵ５１、ＥＥＰＲＯＭ５２、ＤＳＰ５３、ＡＤ／ＤＡコンバータ５４、アンプ５５、出力端子５６、入力端子５７を備えるものとする。
【００５４】
信号処理ユニット５０の組み立て後、信号処理ユニット５０の入力端子５７にＲＦ信号発生器７０が接続され、また、出力端子５６に歪率計又はＡＦ信号レベル計（オーディオアナライザー）８０が接続される。また、信号処理ユニット５０に制御ユニット１０が接続される。
【００５５】
図５と同様に、受信アンテナ（図示略）が所定のＲＦ信号を受信したときに受信回路ユニット４０から出力されるオーディオ信号の信号レベルをレベルＡとする。また、受信回路ユニット４０からレベルＡのオーディオ信号が出力され信号処理ユニット５０に入力された場合に、出力端子５６から出力される製品仕様の電圧信号レベルをレベルＢとする。また、ＣＰＵ５１は、制御ユニット１０のＣＰＵ１１に制御される。
【００５６】
レベルＡのオーディオ信号Ｓ１がＲＦ信号発生器７０により発生されて信号処理ユニット５０に入力される。そして、ＣＰＵ５１の制御により、オーディオ信号Ｓ１は、ＤＳＰ５３により信号処理が施され、ＡＤ／ＤＡコンバータ５４により出力調整され、アンプ５５により増幅されて出力端子５６からオーディオ信号の電圧信号Ｓ２として出力される。電圧信号Ｓ２は、歪率計又はＡＦ信号レベル計８０により測定される。この状態で、ＣＰＵ５１の制御によるＡＤ／ＤＡコンバータ５４の出力調整により、歪率計又はＡＦ信号レベル計８０により測定される電圧信号Ｓ２の信号レベルがレベルＢに調整される。このＡＤ／ＤＡコンバータ５４の出力の調整値は、制御ユニット１０の制御により、調整・設定データとしてＥＥＰＲＯＭ５２に書き込まれる。
【００５７】
信号処理ユニット５０の調整・設定データをＥＥＰＲＯＭ５２に書き込むことで、信号処理ユニット５０の調整が完了する。ＥＥＰＲＯＭ５２に記憶された調整・設定データは、無線機１の動作時に、信号処理ユニット５０が製品仕様の動作をするよう適宜読み出されて使用される。また、信号処理ユニット５０以外の無線機１の各ユニットの調整でも同様である。但し、制御ユニット１０は、その調整において、外部からの制御（信号）が不要である。
【００５８】
このように、調整では、予め、各ユニットの入出力レベルを把握しておく必要があるが、ユニット単体で入出力のレベルを調整できれば、各ユニットを本体に組み立て後に、最終検査を行うのみで出荷ができる。
【００５９】
次いで、工場出荷後の無線機１の修理における調整について説明する。一例として、信号処理ユニット５０が故障した場合の修理を説明する。先ず、ユーザからの修理要請に応じて、修理のサービスセンター（サービス拠点）のサービスマンが、故障した無線機１の設置場所に行く。このとき、サービスマンは、無線機１の修理交換用の各ユニットを用意しているものとする。修理交換用のユニットとは、新しく製造された調整済のユニット、又は後述する交換修理用に再生されたユニットである。
【００６０】
サービスマンは、故障した無線機１を検査して故障箇所を例えば信号処理ユニット５０であると特定し、故障した信号処理ユニット５０を修理交換用の信号処理ユニット５０に交換し、無線機１を動作確認する。この手順で、信号処理ユニット５０の修理が完了する。修理交換用の信号処理ユニット５０のＥＥＰＲＯＭ５２には、既に調整・設定データが書き込まれているからである。このように、サービスマンは、故障した無線機１をサービスセンターに持ち帰ることがなく、また無線機１の設置場所で信号処理ユニット５０の調整作業を行うこともない。
【００６１】
そして、サービスマンは、取り外した故障した信号処理ユニット５０をサービスセンターに持ち帰る。そして、サービスマンがその故障した信号処理ユニット５０を修理した後、信号処理ユニット５０に図２で説明したような調整が行われ、その調整・設定データがＥＥＰＲＯＭ５２に書き込まれる。こうして、故障した信号処理ユニット５０が、修理交換用の信号処理ユニット５０として再生される。
【００６２】
次いで、無線機１の製造時のユニット調整の別の例を説明する。図３に、信号処理ユニット５０の導通確認時の調整を示す。
【００６３】
無線機１の生産における各ユニットの製造工程において、各ユニットが組み立てられマシン実装が終了した時点で、各ユニットに回路部品が問題なく実装され問題なく動作することを確認するため、各ユニット単体に導通確認試験が行われる。この導通確認試験では導通確認治具が使用されるが、この導通確認において同時にユニットの調整を行うことが可能である。この導通確認時のユニット調整の一例として、信号処理ユニット５０の調整を説明する
【００６４】
図３に示すように、先ず、導通確認試験対象の信号処理ユニット５０に導通確認治具９０が接続される。導通確認治具９０は、信号処理ユニット５０の導通確認を行うための治具であり、導通確認用のテスト端子、基板への電源供給端子、ＧＮＤ端子、調整に必要な信号入出力端子が設けられている。
【００６５】
導通確認治具９０には、制御信号を与える必要があるため、制御ユニット１０又は外部機器としてのＰＣ（Personal Computer）２が接続される。制御ユニット１０又はＰＣ２の制御により、信号処理ユニット５０が駆動される。
【００６６】
また、信号処理ユニット５０には、調整に必要な入出力端子として、ＤＳＰ５３に接続される入力端子５８と、出力端子５６とが設けられているものとする。
【００６７】
信号処理ユニット５０と導通確認治具９０とが接続され、導通確認治具９０と、制御ユニット１０又はＰＣ２と、が接続される。導通確認治具９０と、制御ユニット１０又はＰＣ２と、の間には、制御信号Ｓ１１，Ｓ１２が送受信される。また、導通確認治具９０と信号処理ユニット５０との間には、制御信号Ｓ１３，導通確認信号Ｓ１４が送受信される。
【００６８】
また、導通確認治具９０から信号処理ユニット５０の入力端子５８に入力信号Ｓ１５が送信される。逆に、信号処理ユニット５０の出力端子５６から導通確認治具９０へ出力信号Ｓ１６が送信される。
【００６９】
制御ユニット１０又はＰＣ２の制御に従って、導通確認治具９０により、信号処理ユニット５０の導通確認試験が行われると同時に、図２で説明した調整と同様の信号処理ユニット５０の調整が行われる。この調整では、信号処理ユニット５０において、導通確認治具９０からレベルＡの入力信号Ｓ１５が入力端子５８に入力され、この入力に対応する出力信号Ｓ１６が、導通確認治具９０に出力される。信号処理ユニット５０において、ＣＰＵ５１により、出力信号Ｓ１６がレベルＢになるようＡＤ／ＤＡコンバータ５４が調整され、このＡＤ／ＤＡコンバータ５４の出力調整値が、調整・設定データとして、ＥＥＰＲＯＭ５２に書き込まれる。
【００７０】
このように、信号処理ユニット５０の回路構成を変え、製造工程を変えることにより、各ユニットの部品実装後に信号処理ユニット５０へ調整・設定データを書き込むことができる。なお、調整をする前に、ＡＤ／ＤＡコンバータ５４の目標値を予め決めておき、この目標値をＥＥＰＲＯＭ５２に書き込んでおき、調整時にその目標値を読み出して使用する構成でも、調整の工数を減らすことができ、製造時間の短縮を図ることができる。また、信号処理ユニット５０以外の無線機１の各ユニットの導通確認時の調整でも同様である。
【００７１】
以上、本実施の形態によれば、無線機１が、電子回路を有し、取り外しての交換が可能な複数のユニット（制御ユニット１０、送信回路ユニット２０、送信パワーアンプユニット３０、受信回路ユニット４０、信号処理ユニット５０、操作表示ユニット６０）を備え、各ユニットが、自ユニットの電子回路の制御用の調整・設定データを記憶するＥＥＰＲＯＭ（ＥＥＰＲＯＭ１２，２２，３２，４２，５２，６２）と、このＥＥＰＲＯＭに記憶された調整・設定データに従って、自ユニットの電子回路の制御を行うＣＰＵ（ＣＰＵ１１，２１，３１，４１，５１，６１）と、を備える。よって、無線機１の故障時に、無線機１の設置場所で、サービスマンが、故障したユニットを修理交換用のユニットに交換するのみでよく、修理が短時間で完了する。また、サービスマンが無線機１をサービスセンターに持ち帰る必要が無く、サービスマンが無線機１の代替機を用意する必要も無い。このため、無線機１の修理時間を短くでき、修理の設備負担及び作業負担を低減できる。
【００７２】
また、制御ユニット１０のＣＰＵ１１は、自ユニットのＥＥＰＲＯＭ１２に記憶された調整・設定データに従って、自ユニットの電子回路の制御を行うとともに、送信回路ユニット２０、送信パワーアンプユニット３０、受信回路ユニット４０、信号処理ユニット５０、操作表示ユニット６０の制御を行う。送信回路ユニット２０、送信パワーアンプユニット３０、受信回路ユニット４０、信号処理ユニット５０、操作表示ユニット６０のＣＰＵ２１，３１，４１，５１，６１は、ＣＰＵ１１による制御と自ユニットのＥＥＰＲＯＭ２２，３２，４１，５２，６２に記憶された調整・設定データとに従って、自ユニットの電子回路の制御を行う。このため、１つのＣＰＵで無線機の全電子回路を制御する構成に比べて、ＣＰＵ１１の処理負担を低減できる。
【００７３】
また、導通確認治具９０等を用いて、各ユニットの導通確認と調整とを同時に行う場合には、無線機１の製造工程の工数を減らすことができ、製造時間を短縮できる。
【００７４】
なお、上記実施の形態における記述は、本発明に係る無線機の一例であり、これに限定されるものではない。
【００７５】
上記実施の形態では、無線機１が中継器であるものとして説明したが、これに限定されるものではない。例えば、無線機が、ハンディ機、車載機等の無線通信端末である構成としてもよい。
【００７６】
無線機が、無線通信端末である場合の構成を簡単に説明する。無線通信端末の無線機は、無線機１と同様に、制御ユニット、送信回路ユニット、送信パワーアンプユニット、受信回路ユニット、信号処理ユニット、操作表示ユニットと、さらに、スピーカ、パワーアンプ、マイク、マイクアンプと、を備える。
【００７７】
無線通信端末の無線機について、デジタル設定及びアナログ設定の切換えが可能な無線機であるとし、デジタル設定、アナログ設定それぞれの無線機の無線通信動作を説明する。
【００７８】
無線通信端末の無線機がデジタル設定にされている場合の受信時の動作を説明する。無線通信端末の無線機において、送信側の無線通信端末又は中継器から送信されたデジタル変調信号の無線電波が受信アンテナにより受信されて受信回路ユニットに出力される。そして、そのデジタル変調信号が受信回路ユニットによりデジタル復調、出力調整されてデジタルの復調信号にされて信号処理ユニットに出力される。そして、信号処理ユニットにおいて、そのデジタルの復調信号がＤＳＰにより信号処理され、信号処理後のデジタルの復調信号がＡＤ／ＤＡコンバータにより出力調整されてパワーアンプに出力される。そして、信号処理後のデジタルの復調信号がＡＤ／ＤＡコンバータによりＤＡ変換されオーディオ信号としてのアナログ信号がパワーアンプにより増幅されてスピーカにより音声出力される。
【００７９】
無線通信端末の無線機がデジタル設定にされている場合の送信時の動作を説明する。無線通信端末の無線機において、マイクによる音声入力により生成されたアナログのオーディオ信号がマイクアンプにより増幅され、信号処理ユニットに出力される。信号処理ユニットにおいて、ＤＳＰによりデジタル信号処理され、信号処理後のデジタル信号がＡＤ／ＤＡコンバータにより電子ボリューム調整されて送信ユニットに出力される。そのデジタル信号が送信ユニットによりデジタル変調されて送信パワーアンプユニットに出力される。そのデジタル変調信号は、送信パワーアンプユニットにより増幅されて送信アンテナに出力される。そして、送信アンテナによりデジタル変調信号が無線電波として受信側の無線通信端末又は中継器に送信される。
【００８０】
無線通信端末の無線機がアナログ設定にされている場合の受信時の動作を説明する。無線通信端末の無線機において、送信側の無線通信端末又は中継器から送信されたアナログ変調信号の無線電波が受信アンテナにより受信されて受信回路ユニットに出力される。そして、そのアナログ変調信号が受信回路ユニットによりアナログ復調、電子ボリューム調整されて信号処理ユニットに出力される。そして、信号処理ユニットにおいて、そのアナログの復調信号がＤＳＰにより信号処理され、信号処理後のアナログの復調信号がＡＤ／ＤＡコンバータにより出力調整されてパワーアンプに出力される。そして、信号処理後のアナログの復調信号がオーディオ信号としてパワーアンプにより増幅されてスピーカにより音声出力される。
【００８１】
無線通信端末の無線機がアナログ設定にされている場合の送信時の動作を説明する。無線通信端末の無線機において、マイクによる音声入力により生成されたアナログのオーディオ信号がマイクアンプにより増幅され、信号処理ユニットに出力される。信号処理ユニットにおいて、そのアナログ信号がＤＳＰにより信号処理され、信号処理後のアナログの復調信号がＡＤ／ＤＡコンバータにより出力調整されて送信ユニットに出力される。そのデジタル信号が送信ユニットによりアナログ変調されて送信パワーアンプユニットに出力される。そのアナログ変調信号は、送信パワーアンプユニットにより増幅されて送信アンテナに出力される。そして、送信アンテナによりアナログ変調信号が無線電波として受信側の無線通信端末又は中継器に送信される。
【００８２】
このように、無線機が無線通信端末であっても、この無線通信端末は、取り外しての交換が可能な制御ユニット、送信回路ユニット、送信パワーアンプユニット、受信回路ユニット、信号処理ユニット、操作表示ユニット等の各ユニットを備える。各ユニットは、自ユニット内の調整・設定データを記憶するＥＥＰＲＯＭと、調整・設定データに従って自ユニット内の電子回路を制御するＣＰＵと、を備える。このため、この無線通信端末は、無線機１と同様の効果を奏する。
【００８３】
また、上記実施の形態の無線機１、上記無線通信端末である無線機の各ユニットの調整・設定データを記憶する不揮発記憶部として、ＥＥＰＲＯＭを用いる構成としたが、これに限定されるものではなく、フラッシュメモリ等、他の不揮発メモリとしてもよい。
【００８４】
その他、上記実施の形態における無線機１の細部構成及び詳細動作に関しても、本発明の趣旨を逸脱しない範囲で適宜変更可能である。
【図面の簡単な説明】
【００８５】
【図１】本発明に係る実施の形態の無線機の構成を示すブロック図である。
【図２】信号処理ユニットの調整を示す図である。
【図３】信号処理ユニットの導通確認時の調整を示す図である。
【図４】従来の無線機の構成を示すブロック図である。
【図５】従来の信号処理ブロックの調整を示す図である。
【符号の説明】
【００８６】
１  無線機
１０  制御ユニット
１１  ＣＰＵ
１２  ＥＥＰＲＯＭ
２０  送信回路ユニット
２１  ＣＰＵ
２２  ＥＥＰＲＯＭ
３０  送信パワーアンプユニット
３１  ＣＰＵ
３２  ＥＥＰＲＯＭ
４０  受信回路ユニット
４１  ＣＰＵ
４２  ＥＥＰＲＯＭ
５０  信号処理ユニット
５１  ＣＰＵ
５２  ＥＥＰＲＯＭ
５３  ＤＳＰ
５４  ＡＤ／ＤＡコンバータ
５５  アンプ
５６  出力端子
５７，５８  入力端子
６０  操作表示ユニット
６１  ＣＰＵ
６２  ＥＥＰＲＯＭ
６３  表示部
６４  操作部
７０  ＲＦ信号発生器
８０  歪率計又はＡＦ信号レベル計（オーディオアナライザー）
９０  導通確認治具
２  ＰＣ
３  無線機
１１０  制御ブロック
１１１  ＣＰＵ
１１２  ＥＥＰＲＯＭ
１２０  送信回路ブロック
１３０  送信パワーアンプブロック
１４０  受信回路ブロック
１５０  信号処理ブロック
１５１  ＤＳＰ
１５２  ＡＤ／ＤＡコンバータ
１５３  アンプ
１５４  出力端子
１６０  操作表示ブロック
１６１  表示部
１６２  操作部
１７０  ＲＦ信号発生器
１８０  歪率計又はＡＦ信号レベル計（オーディオアナライザー）
【図１】
2010035075.tif 000003
【図２】
2010035075.tif 000004
【図３】
2010035075.tif 000005
【図４】
2010035075.tif 000006
【図５】
2010035075.tif 000007